(57)【特許請求の範囲】
【請求項１】
長手方向両端に取付けられたランプソケットを有する器具本体と、
この本体に取付けられる複数の反射板取付け金具と、
前記器具本体を下方から覆い隠す天板部の両側に斜板部を斜め下方に折り曲げた反射板主部の長手方向両端に夫々端板を取付けてなるとともに、天井の器具装着開口の縁部に下面側から引掛かる開口縁を有し、かつ、前記天板部を前記反射板取付け金具に非接触にして配置される反射板と、
前記天板部を通って前記反射板取付け金具に前記反射板を取付ける複数の取付けねじと、
を具備した天井埋め込み型照明器具において、
前記反射板の天板部を、前記斜板部の上端から前記天板部の幅方向中央部が最低位部となるように前記中央部に向けて次第に下方に傾斜する断面略Ｖ状の折曲げ構造とし、前記最低位部により形成されて前記天板部の長手方向に延びる下向きの稜線部にねじ通孔を前記反射板取付け金具と同数設け、これらねじ通孔に前記取付けねじを通して前記反射板取付け金具に前記反射板をねじ止めし、ねじ止めされた状態で前記稜線部が、前記斜板部の上端より下方で、かつ、前記ランプソケットに支持されるランプよりも上方に配置されていることを特徴とする天井埋め込み型照明器具。
【発明の詳細な説明】
【０００１】
【発明の属する技術分野】
本発明は、直管型の蛍光ランプを光源として用い、天井壁に設けた器具装着用開口に埋め込んで取付けられる天井埋め込み型照明器具に関する。
【０００２】
【従来の技術】
図６および図７は一般的に多用されている２灯用天井埋め込み型照明器具を示しており、これらの図中１は器具本体、２は複数の反射板取付け金具、３は板金製の反射板、４は複数の取付けねじである。
【０００３】
図示しない点灯装置やスイッチ等の電気部品が内蔵される器具本体１の下面は開放されており、また、この本体１の長手方向両端部には夫々ランプソケット５が２個ずつ取付けられている。反射板取付け金具２は器具本体１の長手方向両端側に夫々連結して設けられる。これら取付け金具２は略コの状をなしており、その両端の側方に張出した係合端２ａは、天井壁６に開けられた器具装着用開口６ａ（なお、その長手方向と直交する開口幅は通常 300mmと幅広である。）の縁部に下側から引っ掛けられるようになっている。
【０００４】
反射板３は、水平な天板部７の両側に斜板部８を夫々斜め下方に折曲げてなる反射板主部９を備え、この主部９の長手方向両端に夫々端板１０を取付けてなる。そして、天板部７の両端部には、その幅方向に並んで夫々二つのソケット通孔１１が開けられているとともに、二つのねじ通孔１２が開けられている。複数の取付けねじ４は、各ねじ通孔１２を個別に通って反射板取付け金具２に設けられた一対のねじ孔１３のいずれかに螺合され、その締付けによって反射板３を反射板取付け金具２にねじ止めする。
【０００５】
このねじ止めに伴って斜板部８および端板１０の下端から側方に張出して互いに連続された環状の縁部３ａが、器具装着用開口６ａの縁部に下方から押し当てられて、器具装着用開口６ａの縁部を覆い隠すようになっている。また、図６および図７中１５はランプソケット５に支持されて反射板３の内側に収容される直管型蛍光ランプである。これらのランプ１５の真上に取付けねじ４が配置されるようになっている。
【０００６】
また、図８および図９は、図６および図７に示された従来公知の照明器具に対する改良案として本発明者が提案したものであり、この提案に係る天井埋め込み型照明器具は、各反射板取付け金具２に対して夫々１本の取付けねじ４を螺合することによって、反射板３を取付けるようにしている。なお、この点以外の構成は前記図６および図７に示された従来の照明器具と同じであり、同一構成部分には同一符号を付してある。
【０００７】
【発明が解決しようとする課題】
図６および図７に示された従来の天井埋め込み型照明器具においては、反射板３を取付けるに当たり、合計４本の取付けねじ４を必要としているので、その取付けに手間が掛かるという問題がある。
【０００８】
そこで、取付けねじ４が２本で済むようにした図８および図９の天井埋め込み型照明器具が提案された。しかし、この提案においては反射板３の水平な天板部７の幅方向中央において取付けねじ４を締め付けてねじ止めをすることに伴い、器具装着用開口６ａと同様に幅が広い天板部７が、図８に示すように上方へ凸となるように反って湾曲し、その反作用として斜板部８から張出した縁部３ａが垂れ下がって、天井壁６との間に隙間Ｇを発生して取付け姿勢での外観を損ない易いという不具合を生じることが分かった。
【０００９】
こうした反射板３の縁部３ａの垂れ下がりは、反射板３の厚みを厚くすれば防止できる。しかし、そのようにした場合には、反射板３の材料コストが増すとともに、反射板３の重量が重くなって、その取扱いに不便を来すから、実際上の対策としては好ましくない。
【００１０】
また、以上は２灯用の例で説明したが、１灯用の天井埋め込み型照明器具において、その反射板の取付けを２本の取付けねじで済むようにして、反射板の材厚を薄くした場合には、前記と同様に反射板の下縁に垂れ下がりを生じるので、前記の改良案と同様な問題がある。
【００１１】
したがって、本発明が解決しようとする課題は、反射板の縁部の垂れ下がりを防止しつつ反射板取付け金具への反射板の取付け作業性を向上できる天井埋め込み型照明器具を得ることにある。
【００１２】
【課題を解決するための手段】
請求項１の発明は、長手方向両端に取付けられたランプソケットを有する器具本体と、この本体に取付けられる複数の反射板取付け金具と、前記器具本体を下方から覆い隠す天板部の両側に斜板部を斜め下方に折り曲げた反射板主部の長手方向両端に夫々端板を取付けてなるとともに、天井の器具装着開口の縁部に下面側から引掛かる開口縁を有し、かつ、前記天板部を前記反射板取付け金具に非接触にして配置される反射板と、前記天板部を通って前記反射板取付け金具に前記反射板を取付ける複数の取付けねじと、具備した天井埋め込み型照明器具を前提とする。
【００１３】
そして、前記課題を解決するために、前記反射板の天板部を、前記斜板部の上端から前記天板部の幅方向中央部が最低位部となるように前記中央部に向けて次第に下方に傾斜する断面略Ｖ状の折曲げ構造とし、前記最低位部により形成されて前記天板部の長手方向に延びる下向きの稜線部にねじ通孔を前記反射板取付け金具と同数設け、これらねじ通孔に前記取付けねじを通して前記反射板取付け金具に前記反射板をねじ止めし、ねじ止めされた状態で前記稜線部が、前記斜板部の上端より下方で、かつ、前記ランプソケットに支持されるランプよりも上方に配置されていることを特徴としている。
【００１４】
この請求項１の発明においては、反射板を反射板取付け金具にねじ止めする取付けねじの使用を、一個の反射板取付け金具一つにつき１本としたから、その使用数を最少とでき、取付けの手間を少なくできる。そして、反射板の天板部は折曲げ構造であるから上向きの変形に対して強く、この天板部に設けられた長手方向に延びる下向きの稜線部に取付けねじを通して反射板をねじ止めするようにしたから、取付けねじの締め付けに伴って天板部が上側に凸となるように反ることを防止できる。
【００１５】
【発明の実施の形態】
以下、図１〜図４を参照して本発明の第１の実施の形態に係る40ワット２灯用の天井埋め込み型照明器具を説明する。
【００１６】
図２中２１は天井壁であり、２１ａは器具装着用開口である。この開口２１ａは天井埋め込み型照明器具が一台の場合には、その大きさに合わせて天井壁２１に設けられ、また、複数台の照明器具がその長手方向に直線的に連続して設置される場合には、その並び台数に合わせて連続して天井壁２１に設けられる。
【００１７】
この器具装着用開口２１ａに挿入して天井に埋め込んで設置される天井埋め込み型照明器具（以下、単に照明器具と略称する。）は、図１および図４等に示されるように器具本体２２と、複数例えば二つの反射板取付け金具２３と、反射板２４と、前記金具２３と同数の取付けねじ２５と、二本の直管型蛍光ランプ２６とを備えている。
【００１８】
板金製の器具本体２２は下面が開放された細長い箱形状をなし、その内部には、図３に示されるように放電灯安定器３１および電源端子台３２等の電気部品が内蔵されている。この器具本体２２には図４等に示されるように長手方向両端に位置してランプソケット３３が夫々に二個ずつ図示しないソケット取付け金具を介して取付けられている。
【００１９】
器具本体２２の上板壁には図３に示されるように電源引込み孔３４と、これを間に置いて器具取付け孔３５が夫々複数開けられている。器具本体２２は、前記複数の器具取付け孔３５の中から選択された器具取付け孔３５に通される天井裏の吊りボルト（図示しない）の先端部に、器具本体２２の内側からナットを螺合して締め付けることにより、天井に取付けられるようになっている。
【００２０】
図２および図４等に示されるように反射板取付け金具２３は、器具本体２２の開放された下面を幅方向に横断する横断板部４１と、この両端から下方へ折り曲げられるとともに先端に側方に張出す係合端４２ａを有した係合部４２とを有している。横断板部４１は器具本体２２の幅よりも長い。しかも、この横断板部４１の長手方向中央部には一つのねじ孔４３が設けられている。この反射板取付け金具２３は器具本体２２の例えば長手方向両端側部分に連結されている。この連結は、図２に示されるように左右に対をなして横断板部４１に形成した連結爪４１ａを、器具本体２２の相対向する側壁に設けた図示しない連結孔に引掛けることによって実現されている。こうした取付けにより、前記ねじ孔４３が器具本体２２の幅方向中央に対応して配置されるようになっている。
【００２１】
反射板２４は板金製である。この反射板２４は、図２および図４等に示されるように反射板主部５１の長手方向両端に夫々端板５２を取付けて形成されている。反射板主部５１は、器具本体２２よりも幅が広く、この本体２２を下方から覆い隠す天板部５３の両側に、斜板部５４をハの字状をなして斜め下方に折り曲げてなる。
【００２２】
図２等に示されるように天板部５３は、その幅方向中央部が最低位部となるように前記中央部に向けて次第に下方に傾斜する断面略Ｖ状の折曲げ構造により形成されている。したがって、天板部５３は、その幅方向中央部に、前記最低位部からなる下向きの稜線部５３ａを有している。この一本の稜線部５３ａは天板部５３の長手方向に延びている。そして、稜線部５３ａには前記ねじ孔４３に対応して一つのねじ通孔５５が開けられている。
【００２３】
天板部５３の長手方向両端には、その幅方向に並んで前記ランプソケット３３が下方に挿通するソケット通孔５６が設けられている。前記斜板部５４の下端および端板５２の下端は、夫々外側に張り出すように折り曲げられるとともに互いに連結されて、反射板２４の環状をなす開口縁２４ａを形成している。この開口縁２４ａは前記係合端４２ａを覆い隠すとともに、器具装着用開口２１ａの縁部にその下面側から押し当てられるようになっている。
【００２４】
２本の取付けねじ２５には手回しが可能な化粧ねじが採用され、これはねじ通孔５５を通って前記ねじ孔４３に挿脱可能に螺合される。これらのねじ２５の締め付けにより反射板２４が取付けられるようになっている。
【００２５】
また、蛍光ランプ２６は、ソケット通孔５６を下方に挿通したランプソケット３３に両端を支持されて、図１に示されるように反射板２４の内側に収容される。
【００２６】
前記構成の照明器具は次の手順で天井に埋め込み固定される。
【００２７】
まず、一対の反射板取付け金具２３が予め連結された器具本体２２を器具装着用開口２１ａに挿入するとともに、選択された器具取付け孔３５に天井裏の図示しない吊りボルトを下方に挿通させた後、このボルトの下端部に図示しないナットを螺合して締め付ける。それにより、反射板取付け金具２３の係合端４２ａが器具装着用開口２１ａの縁部に下面側から引掛かって、器具本体２２が天井に埋め込まれる。次に、器具装着用開口２１ａにこれを覆い隠すように反射板２４を挿入して、その開口縁２４ａを器具装着用開口２１ａの縁部に下面側から引掛ける。この後、二本の取付けねじ２５を夫々ねじ通孔５５に通し、ねじ孔４３に螺合して締め上げる。それにより、反射板２４が天井に埋め込み状態に取付けられる。最後に、反射板２４のソケット通孔５６から突出したランプソケット３３に蛍光ランプ２６を支持させる。以上の手順により照明器具が天井に埋め込み固定されるものである。
【００２８】
こうした手順から分かるように、この照明器具は反射板２４を反射板取付け金具２３に取付けるに当たり、これら金具２３と同数、この実施の形態では二本の取付けねじ２５しか必要としないので、その使用数を最少にできる。それに応じて、反射板２４の取付けに要する手間が少なくなるので、その作業性がよく、この照明器具を天井に対して容易に埋め込み固定することができる。
【００２９】
そして、前記反射板２４のねじ止めにおいて、取付けねじ２５が挿通する天板部５３は、水平ではなく、その幅方向中央位置に長手方向に延びる下向きの稜線部５３ａを有しているから、上向きの変形に対して強度が高い。そのため、取付けねじ２５の前記締め上げに拘らず、天板部５３が上方に凸となるように反ることを防止できる。
【００３０】
このように反り変形がないことにより、反射板２４の斜板部５４の下端、言い換えれば、反射板２４の開口縁２４ａが垂れ下がることがない。したがって、開口縁２４ａを天井壁２１の下面に強く押し当て、これら相互間に隙間を設けることなく密接でき、この照明器具を天井に良好な取付け姿勢をもって設置できる。
【００３１】
しかも、こうした理由から反射板２４を板厚を薄くすることが可能であり、反射板２４ひいては照明器具の低コストに貢献できるとともに、反射板２４の軽量化により、その天井への埋め込み固定などにおける取扱いを容易にできる。
【００３２】
なお、本発明は前記第１の実施の形態に制約されず、図５に示される１灯用の天井埋め込み型照明器具にも適用できるとともに、図示しないが３灯以上の照明器具にも適用できる。
【００３３】
図５の照明器具においては、その器具本体２２の形状が細長い直方体でかつ下面が開放された構造であり、また、２本の取付けねじ２５が蛍光ランプ２６の真上に位置されて下方から視認しずらくなっている点以外は、前記第１の実施の形態に係る照明器具と同様の構成であり、図中第１の実施の形態の照明器具と同様な構成については同じ符号を付してある。そして、この第２の実施の形態においても、反射板２４の天板部５４に下向きの稜線部５３ａを設け、そこを通る２本の取付けねじ２５で反射板２４を反射板取付け金具２３に取付ける構成により、前記第１の実施の形態の照明器具と同様な作用を得ることができ、したがって、反射板２４を薄く軽量化できるとともに、それにも拘らず天板部５４の反り変形を防止して、天井壁２１との間に隙間を形成することなく容易に反射板２４を取付けることができる。
【００３４】
【発明の効果】
以上詳記したように本発明によれば、反射板を反射板取付け金具にねじ止めする取付けねじの使用数が少なく、反射板取付け金具への反射板の取付け作業性を向上できるとともに、取付けねじの締め付けに伴って天板部が上側に凸となるように反ることを防止して、反射板の縁部の垂れ下がりを防止できる。したがって、反射板の縁部を天井壁に密接させて天井に対して簡単な手間で埋め込み設置することができる。
【図面の簡単な説明】
【図１】本発明の第１の実施の形態に係る２灯用天井埋め込み型照明器具の構成を示す斜視図。
【図２】第１の実施の形態に係る照明器具の構成を図１中矢印Ｚ方向から見て一部断面して示す図。
【図３】第１の実施の形態に係る照明器具の構成を示す平面図。
【図４】第１の実施の形態に係る照明器具の構成を分解して示す斜視図。
【図５】本発明の第２の実施の形態に係る１灯用天井埋め込み型照明器具の構成を示す前記図２相当図。
【図６】従来例に係る２灯用天井埋め込み型照明器具の構成を示す前記図２相当図。
【図７】図６に示した従来の照明器具の構成を分解して示す斜視図。
【図８】改良案として提案された２灯用天井埋め込み型照明器具の構成を示す前記図２相当図。
【図９】図８に示した照明器具の構成を分解して示す斜視図。
【符号の説明】
２１…天井壁、２１ａ…器具装着用開口、２２…器具本体、２３…反射板取付け金具、２３ａ…反射板取付け金具の係合端、２４…反射板、２４ａ…開口縁、２５…取付けねじ、２６…蛍光ランプ、３３…ランプソケット、４３…ねじ孔、５１…反射板主部、５２…端板、５３…天板部、５３ａ…稜線部、５４…斜板部、５５…ねじ通孔。
【図１】
0003858322.tif 000002
【図２】
0003858322.tif 000003
【図３】
0003858322.tif 000004
【図４】
0003858322.tif 000005
【図５】
0003858322.tif 000006
【図６】
0003858322.tif 000007
【図７】
0003858322.tif 000008
【図８】
0003858322.tif 000009
【図９】
0003858322.tif 000010